(57)【要約】【課題】剛性を低下させることなく残量を確認できる箱体を提供すること。【解決手段】箱体１は底面２と壁面３とを備え複数の消耗品Ｃを重ねて収容する。箱体１は壁面３の内側には残量表示部１０を備えている。残量表示部１０は所定の枚数になった消耗品Ｃの最上層の位置を表示する。【選択図】図１
2014136603.tif 000002
【特許請求の範囲】
【請求項１】
底面と壁面とを備え、複数の消耗品を重ねて収容する箱体であって、
該壁面の内側には残量表示部を備え、
該残量表示部は、
所定の枚数になった該消耗品の最上層の位置を表示することを特徴とする箱体。
【請求項２】
前記残量表示部は、
前記消耗品が所定の枚数になった際の指示事項を表示することを特徴とする請求項１記載の箱体。
【発明の詳細な説明】
【技術分野】
【０００１】
本発明は、名刺などを収容する箱体に関する。
【背景技術】
【０００２】
名刺やコピー用紙などの紙類、使い捨てマスクなど薄手の消耗品は、通常箱（例えば、特許文献１及び特許文献２参照）の中に重ねられて収容されて、上方の開口から取り出して使用する形態を取る場合が多い。ビジネスシーンにおいて、名刺やコピー用紙などは切らしては業務に支障を来すため、無くなってしまう前のある程度の枚数まで減った時点で新たに発注することが通常である。
【先行技術文献】
【特許文献】
【０００３】
【特許文献１】実開平０２−０８２５８３号公報
【特許文献２】実開平０６−０７７６９０号公報
【発明の概要】
【発明が解決しようとする課題】
【０００４】
残量の確認が必要な消耗品の収容箱において、容易に残量を確認するための方法が思案されてきた（特許文献１，２）。これらはいずれも壁面部分に窓を形成する必要があり、箱の作製において、窓形成のための切断工数を必要とする。また、側方の窓で視認するためには、窓の大きさが相当程度大きい必要があるため、箱としての剛性を下げてしまうという懸念もある。
【０００５】
本発明は、上記に鑑みてなされたものであって、剛性を低下させることなく残量を確認できる箱体を提供することを目的とする。
【課題を解決するための手段】
【０００６】
上述した課題を解決し、目的を達成するために、本発明の箱体は、底面と壁面とを備え、複数の消耗品を重ねて収容する箱体であって、該壁面の内側には残量表示部を備え、該残量表示部は、所定の枚数になった該消耗品の最上層の位置を表示することを特徴とする。
【０００７】
また、前記箱体では、前記残量表示部は、前記消耗品が所定の枚数になった際の指示事項を表示することが好ましい。
【発明の効果】
【０００８】
そこで、本願発明の箱体では、特に上方に広く開いた開口部から消耗品を取り出して使用する場合、壁面の内側に残量を示す残量表示部があるため、容易に消耗品の残量を確認することができるという効果を奏する。また、壁面の内側に例えば印刷することによって残量表示部を構成することができるため、容易に実施が可能となる。また、窓部などを設ける必要がないために、箱体の剛性を損なう虞もない。さらには、所定の枚数になったことを表示するのみならず、その所定の枚数になった時点で消耗品の使用者又は管理者が実施すべき行動などの指示事項も表示するため、消耗品切れを積極的に防ぐ効果も奏する。ほかにも、上から取り出す際には内側に必然的に視線が向くため、壁面に設けられた窓から残量を視認するよりも壁面の内側に残量表示部を設けた方が、残量表示部を認識しやすい。
【図面の簡単な説明】
【０００９】
【図１】図１は、実施形態１に係る箱体の構成例の概略を示す斜視図である。
【図２】図２は、実施形態１に係る箱体の消耗品を収容した状態の斜視図である。
【図３】図３は、実施形態２に係る箱体の構成例の概略を示す斜視図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１１】
〔実施形態１〕
本発明の実施形態１に係る箱体を図面に基づいて説明する。図１は、実施形態１に係る箱体の構成例の概略を示す斜視図である。図２は、実施形態１に係る箱体の消耗品を収容した状態の斜視図である。
【００１２】
実施形態１に係る箱体１は、複数の消耗品Ｃを重ねて収容する箱体である。なお、実施形態１に係る箱体１が収容する消耗品Ｃは、薄手のものであって、名刺、コピー用紙などの紙類、使い捨てマスクなどが挙げられる。実施形態１では、消耗品Ｃとして、名刺を示している。
【００１３】
箱体１は、図１に示すように、底面２と、複数の壁面３とを備えて、図１中の上方に開口部４が形成された箱状に形成されている。底面２の平面形状は、消耗品Ｃの平面形状と略等しい。底面２の平面形状は、実施形態１では、矩形状である。壁面３は、底面２の外縁から立設している。実施形態１では、壁面３は、４つ設けられている。箱体１は、底面２上に消耗品Ｃを重ねて、複数の消耗品Ｃを収容する。また、箱体１は、開口部４を通して消耗品Ｃが出し入れされる。
【００１４】
また、箱体１は、壁面３の内側には残量表示部１０を複数備えている。残量表示部１０は、所定の枚数になった箱体１内の消耗品Ｃの最上層の位置を表示するものである。残量表示部１０は、実施形態１では、箱体１の厚み方向に間隔をあけて、三つ設けられている。なお、実施形態１では、三つの残量表示部１０は、上から順に、所定の枚数としての２００枚、１００枚、５０枚になった箱体１内の消耗品Ｃの最上層の位置を表示する。
【００１５】
残量表示部１０は、壁面３の内面３ａの全周に亘って設けられた線状部１１と、一つの壁面３の内面３ａの線状部１１の上方に設けられた指示事項表示部１２とを備えている。線状部１１は、点線で構成され、図２に示すように、所定の枚数になった際の消耗品Ｃの最上層の高さと等しい位置に形成されている。また、本発明では、線状部１１を点線に限らす種々の線に形成しても良く、線状部１１を線に限らず種々のマーキングとしても良く、線状部１１を壁面３の内面３ａの全周に亘って設けなくても良い。
【００１６】
なお、図２では、最も上方の残量表示部１０が、所定の枚数としての２００枚になった箱体１内の消耗品Ｃの最上層の位置を表示している。また、本発明では、線状部１１即ち残量表示部１０は、所定の枚数になった際の消耗品Ｃの最上層よりも若干高い位置に形成されても良い。要するに、本発明では、線状部１１即ち残量表示部１０は、所定の枚数になった際の消耗品Ｃの最上層の高さ以上の位置に形成されるのが望ましい。
【００１７】
指示事項表示部１２は、消耗品Ｃが所定の枚数になった際の指示事項を表示するものである。残量表示部１０の指示事項表示部１２は、実施形態１では、指示事項として、残量表示部１０が表示する箱体１内の消耗品Ｃの残枚数即ち箱体１内の消耗品Ｃが所定の枚数になったことを表示している。
【００１８】
残量表示部１０は、線状部１１及び指示事項表示部１２の双方が壁面３の内面３ａと異なる色で形成される。残量表示部１０は、線状部１１及び指示事項表示部１２の双方が壁面３の内面３ａから目立ちやすい色で形成されるのが望ましい。
【００１９】
以上のように、実施形態１に係る箱体１によれば、特に上方に広く開いた開口部４から消耗品Ｃを取り出して使用する場合、壁面３の内面３ａに残量を示す残量表示部１０が形成されている。このために、容易に箱体１内の消耗品Ｃの残量を確認することができるという効果を奏する。
【００２０】
また、壁面３の内側に例えば印刷することによって残量表示部１０を構成することができるため、容易に実施が可能となる。また、窓部などのように箱体１の剛性を損なう虞もない。ほかにも、上方から取り出す際には壁面３の内側に必然的に視線が向くため、壁面３に形成された窓などから消耗品Ｃの残量を視認するよりも、残量表示部１０を確実に認識することができる。
【００２１】
さらに、残量表示部１０を複数設けているので、箱体１内の消耗品Ｃの残量を、消耗品Ｃが減少するのにしたがって段階的に認識することができる。
【００２２】
〔実施形態２〕
本発明の実施形態２に係る箱体を図面に基づいて説明する。図３は、実施形態２に係る箱体の構成例の概略を示す斜視図である。なお、図３において、実施形態１と同一部分には、同一符号を付して説明を省略する。
【００２３】
実施形態２では、図３に示すように、残量表示部１０は、一つのみ設けられ、線状部１１は、実線で構成されている。残量表示部１０の指示事項表示部１２は、指示事項として、箱体１内の消耗品Ｃの最上層の位置が線状部１１の位置となった時点で、消耗品Ｃの注文タイミングである枚数であることを表示している。
【００２４】
実施形態２によれば、実施形態１と同様に、箱体１の剛性を低下させることなく、容易に箱体１内の消耗品Ｃの残量を確認することができるという効果を奏する。
【００２５】
なお、本発明は上記実施形態に限定されるものではない。即ち、本発明の骨子を逸脱しない範囲で種々変形して実施することができる。
【符号の説明】
【００２６】
１  箱体
２  底面
３  壁面
１０  残量表示部
Ｃ  消耗品
【図１】
2014136603.tif 000003
【図２】
2014136603.tif 000004
【図３】
2014136603.tif 000005